(57)【特許請求の範囲】
【請求項１】
一過性障害が検出される度に、該一過性障害の検出時点から一定時間前までの時間内における一過性障害検出回数が所定回数に達している場合に、初めて障害発生として判定されるようにした障害監視方法。
【請求項２】
一過性障害が検出される度に、該一過性障害の検出時点から一定時間前までの時間内における一過性障害検出回数が所定回数に達している場合に、初めて障害発生として判定されるようにした障害監視回路であって、一過性障害が検出される度に、障害検出信号を発生する障害検出手段と、該障害検出手段からの障害検出信号をｎ（ｎ：一般に２以上の整数、以下、同様）進でカウントした上、カウント値をデコードするタイマー選択手段と、何れか１つが上記タイマー選択手段により選択されている状態で、上記障害検出手段からの障害検出信号により起動された上、一定時間後にタイマアップ信号を発生する、ｎ個並列に設けられたタイマー手段と、上記障害検出手段からの障害検出信号をカウントアップする一方、上記タイマー手段各々からのタイムアップ信号によりカウントダウンされることによって、一過性障害各々の検出時点から一定時間前までの時間内における一過性障害検出回数を障害検出頻度として検出する障害検出頻度検出手段と、該障害検出頻度検出手段からの障害検出頻度が所定回数ｎに達した時点で、初めて障害発生として判定する障害有無判定手段と、から構成されてなる障害監視回路。
【発明の詳細な説明】
【０００１】
【発明の属する技術分野】
本発明は、各種通信装置の内部等で一過性障害が検出されたとしても、それを以て直ちに障害発生として見做すことなく、その障害の検出頻度が所定頻度に達した場合に、初めて障害発生として判定されるようにした障害監視方法とその回路に関するものである。
【０００２】
【従来の技術】
各種通信システムや通信装置一般においては、通信装置外部からの信号より何等かの障害が検出された場合や、通信装置内部で何等かの障害が検出された場合であっても、システム全体や通信装置としての信頼性を確保すべく、信号伝送系や通信装置各々の構成には冗長構成が採用されており、障害が発生した場合、現用系構成は予備系構成に切替されると同時に、それまで待機状態におかれていた予備系構成は新たなる現用系構成に切替されるものとなっている。
【０００３】
ここで、具体例に例を採って、系切替動作を具体的に説明すれば、例えば特開平３ー６６２４０号公報における第４図には、同期端局装置等で使用されている、従来技術に係るクロック切替回路の構成が示されているが、クロック障害発生時でのその系切替動作を図３により説明すれば以下のようである。
即ち、装置外部からのＮ系（現用系）クロック入力は２方向に分岐された上、周知の位相同期ループ（Phase Locked Loop ：ＰＬＬ）回路、クロック断検出回路にそれぞれ入力されており、これと同様にして、Ｅ系（予備系）クロック入力も２方向に分岐された上、位相同期ループ回路、クロック断検出回路にそれぞれ入力されたものとなっている。さて、Ｎ系クロック入力は通常、正常状態にあり、Ｎ系対応クロック断検出回路でそのＮ系クロック入力が正常状態にあると判定されている限りにおいては、制御回路ＣＯＮＴによる制御下に、Ｎ系対応位相同期ループ回路で生成されている、そのＮ系入力クロックに同期したクロックｆ（Ｎ）が選択回路ＳＥＬから選択出力されるようになっている。しかしながら、そのような状態で、Ｎ系クロック入力に何等かの障害、例えばクロック断障害が発生した場合を想定すれば、その旨はＮ系対応クロック断検出回路で検出された上、系切替信号として制御回路ＣＯＮＴに通知されることによって、選択回路ＳＥＬからは、それまでのクロックｆ（Ｎ）に代って、Ｅ系対応位相同期ループ回路で生成されている、Ｅ系入力クロックに同期したクロックｆ（Ｅ）が選択回路ＳＥＬから選択出力されているものである。
【０００４】
以上からも判るように、Ｎ系クロック入力にクロック断障害が発生した場合には、Ｅ系クロック入力に系切替えされることによって、それ以降の後段通信装置各々への、そのクロック断障害による影響の波及が最小限に抑えられているものである。
【０００５】
【発明が解決しようとする課題】
しかしながら、各種障害種別（クロック障害はその１種）にもよるが、例えばクロック障害に例を採れば、クロック障害の態様として、そのクロック断状態が半固定的に続行するような固定障害である場合には、後段通信装置各々に動作クロックを供給する必要がある関係上、系切替が行われることは必須であるとしても、これまでのところ、一過性障害が発生した場合での系切替については、必要十分に考慮されていないのが実情である。即ち、一時的な瞬断や信号規則違反等の一過性障害が発生される度に、逐一それに呼応して系切替が行われる場合には、却って、システム全体や通信装置各々での動作が不安定になることは否めなく、その半面、一過性障害が頻度大にして発生される場合にはまた、そのような発生態様は無視され得ないというものである。
【０００６】
本発明の目的は、一過性障害が検出されたとしても、それを以て直ちに障害発生として見做すことなく、その障害の検出頻度が所定頻度に達した場合に、初めて障害発生として判定された上、系切替が行われるを可とした障害監視方法とその回路を供するにある。
【０００７】
【課題を解決するための手段】
上記目的は、一過性障害が検出される度に、その一過性障害の検出時点から一定時間前までの時間内における一過性障害検出回数が所定回数に達している場合に、初めて障害発生として判定されることで達成される。また、障害監視回路は、一過性障害が検出される度に、障害検出信号を発生する障害検出手段と、その障害検出手段からの障害検出信号をｎ進でカウントした上、カウント値をデコードするタイマー選択手段と、何れか１つが上記タイマー選択手段により選択されている状態で、上記障害検出手段からの障害検出信号により起動された上、一定時間後にタイマアップ信号を発生する、ｎ個並列に設けられたタイマー手段と、上記障害検出手段からの障害検出信号をカウントアップする一方、上記タイマー手段各々からのタイムアップ信号によりカウントダウンされることによって、一過性障害各々の検出時点から一定時間前までの時間内における一過性障害検出回数を障害検出頻度として検出する障害検出頻度検出手段と、該障害検出頻度検出手段からの障害検出頻度が所定回数ｎに達した時点で、初めて障害発生として判定する障害有無判定手段とから構成されることで達成される。
【０００８】
【発明の実施の形態】
以下、本発明の実施形態を図１，図２により説明する。
先ず本発明による障害監視回路であるが、その一例での構成を図１に、また、図２にその回路の一例での回路動作を示す。図１に示すように、その障害監視回路は、大別して、一過性障害が検出される度に、障害検出信号を発生する障害検出部１と、その障害検出部１からの障害検出信号をｎ進フリーランカウンタ６でカウントした上、そのカウント値をデコーダ７でデコードするタイマー選択部と、何れか１つが上記タイマー選択部により選択されている状態で、上記障害検出部１からの障害検出信号により起動された上、一定時間後にタイマアップ信号を発生する、ｎ個並列に設けられたタイマー回路３〜５と、上記障害検出部１からの障害検出信号をカウントアップする一方、上記タイマー回路３〜５各々からのタイムアップ信号によりカウントダウンされることによって、一過性障害各々の検出時点から一定時間前までの時間内における一過性障害検出回数を障害検出頻度として検出する障害検出頻度検出手段としてのアップダウンカウンタ２、その障害検出頻度検出手段からの障害検出頻度が所定回数ｎに達した時点で、初めて障害発生として判定する障害有無判定手段としての比較部１５とから構成されたものとなっている。因みに、図１中、符号１１〜１３は２入力オアゲートを、符号８〜１０はＤ型フリップフロップを、符号１４は多入力オアゲートをそれぞれ示す。
【０００９】
図１からも判るように、障害検出部１からの障害検出信号はｎ進フリーランカウンタ６でカウントされた上、そのカウント値がデコーダ７でデコードされることによって、ｎ個並列に設けられているタイマー回路３〜５各々が順次、かつサイクリックに選択されているものである。ところで、それらタイマー回路３〜５各々はともに、それが障害検出信号により一旦起動された場合には、その後の再起動不可として、その起動時点からタイムアップまでの時間は同一として設定されたものとなっている。タイマー回路３に例を採れば、リセット状態にあるＤ型フリップフロップ８は、デコーダ７からのタイマー選択信号がオアゲート１１を介しＤ入力として入力されている状態で、障害検出信号がセット信号として入力されることでセット状態に移行されるが、セット状態への移行時点でタイマー回路３が初めて起動されているものである。タイマー回路３が一旦起動されれば、Ｄ型フリップフロップ８のＱ出力（後述のタイマー３イネーブルに相当）がオアゲート１１に他入力として帰還されていることで、タイマー回路３からタイムアウト（タイムアップ）信号がＤ型フリップフロップ８へのリセット信号として得られるまでの間、障害検出信号やタイマー選択信号は無関係とされているものである。このような事情は他のタイマー回路４，５各々でも同様である。ところで、アップダウンカウンタ２では、障害検出信号がカウントアップされているが、そのカウントアップ値がタイマー回路３〜５各々からのタイムアウト信号によりオアゲート１４を介しダウンカウントされることによって、一過性障害が検出される度に、その検出時点から一定時間前までの時間内における一過性障害検出回数が障害検出頻度として検出されているわけであり、その障害検出頻度が所定回数ｎに達した時点で、比較部１５からは、その判定結果として初めて障害発生である旨の判定結果が得られているものである。
【００１０】
さて、最後に、ｎの値が３であるとして、しかも図２に示す如くに、一過性障害が時系列に検出されたとして、この場合での回路動作を図２を参照しつつ、説明すれば以下のようである。
即ち、アップダウンカウンタ２を始めとして、フリーランカウンタ６やＤ型フリップフロップ８〜１０等がリセットされている初期状態においては、タイマー回路３が選択されるべく、デコーダ７からのタイマー選択信号はオアゲート１１を介しＤ型フリップフロップ８のＤ入力に“Ｈ”状態として入力されており、この状態で、やがて、障害検出部１から第１番目の障害検出信号が発生されれば、この障害検出信号によってＤ型フリップフロップ８がセット状態に移行された上、タイマー回路３が起動されるとと同時に、フリーランカウンタ６、アップダウンカウンタ２各々がともにその障害検出信号によりカウントアップされ、そのカウント値はともに“１”におかれるものとなっている。この状態では、タイマー回路４が選択されるべく、デコーダ７からのタイマー選択信号はオアゲート１２を介しＤ型フリップフロップ９のＤ入力に“Ｈ”状態として入力されており、この状態で、やがて、障害検出部１から第２番目の障害検出信号が発生されれば、この障害検出信号によってＤ型フリップフロップ９がセット状態に移行された上、タイマー回路４が起動されるとと同時に、フリーランカウンタ６、アップダウンカウンタ２各々がその障害検出信号によりカウントアップされ、そのカウント値はともに“２”におかれるものとなっている。しかしながら、その後に、タイマー回路３がタイムアウトすれば、タイマー回路３およびＤ型フリップフロップ８がリセットされるとともに、オアゲート１４を介しアップダウンカウンタ２がカウントダウンされることによって、そのカウント値は“１”におかれるものとなっている。この状態では、フリーランカウンタ６のカウント値は“２”であるから、タイマー回路５が選択されているが、やがて、第３番目の障害検出信号が発生すれば、タイマー回路５が起動されると同時に、フリーランカウンタ６、アップダウンカウンタ２のカウント値はそれぞれ“０”、“２”におかれるが、その後に、タイマー回路４がタイムアウトすれば、アップダウンカウンタ２のカウント値は“１”におかれるものであることが判る。
【００１１】
更に、タイマー回路３が選択されている状態で、第４番目の障害検出信号が発生されれば、タイマー回路３が起動されると同時に、フリーランカウンタ６、アップダウンカウンタ２のカウント値はそれぞれ“１”、“２”におかれるものとなっている。その後、タイマー回路５がタイムアウトすれば、アップダウンカウンタ２のカウント値は“１”におかれるものである。その後、更に、タイマー回路３がタイムアウトする前に、第５番目の障害検出信号に引き続き、第６番目のものが連続的に発生されたとすれば、アップダウンカウンタ２は２回連続的にカウントアップされ、そのカウント値が“３”におかれることで、比較部１５からは、その判定結果として初めて障害発生である旨の判定結果（異常信号）が得られるものである。
【００１２】
【発明の効果】
以上、説明したように、請求項１，２によれば、一過性障害が検出されたとしても、それを以て直ちに障害発生として見做すことなく、その障害の検出頻度が所定頻度に達した場合に、初めて障害発生として判定された上、系切替が行われ得る障害監視方法とその回路が得られており、したがって、システム全体や通信装置各々では、一過性障害が発生される場合であっても、安定した運用状態が期待されるものとなっている。
【図面の簡単な説明】
【図１】図１は、本発明による障害監視回路の一例での構成を示す図
【図２】図２は、その回路の一例での回路動作を説明するための図
【図３】図３は、同期端局装置等で使用されている、従来技術に係るクロック切替回路の構成を示す図
【符号の説明】
１…障害検出部、２…アップダウンカウンタ、３〜５…タイマー回路、６…フリーランカウンタ、７…デコーダ、８〜１０…Ｄ型フリップフロップ、１１〜１３…２入力オアゲート、１４…多入力オアゲート、１５…比較部
【図１】
0003637510.tif 000002
【図２】
0003637510.tif 000003
【図３】
0003637510.tif 000004